(57)【特許請求の範囲】
【請求項１】
金属含有グリセリド油から金属を除去する方法であって、以下の工程：
（ｉ）クロム、マンガン、鉄、コバルト、ニッケルおよび銅から成る群からの少なくとも１種の金属を含有するグリセリド油を、塩基性第四級アンモニウム塩を含有する液体と接触させて、処理されたグリセリド油を形成する工程、ここで前記グリセリド油は、前記金属を１０ｍｇ／ｋｇ〜１０，０００ｍｇ／ｋｇの合計量で含有し、かつ塩基性第四級アンモニウム塩は、水酸化物イオン、アルコキシドイオン、アルキル炭酸イオン、炭酸水素イオン、炭酸イオン、セリン酸イオン、プロリン酸イオン、ヒスチジン酸イオン、トレオニン酸イオン、バリン酸イオン、アスパラギン酸イオン、タウリン酸イオン、およびリシン酸イオンから選択される塩基性アニオンと、第四級アンモニウムカチオンとを含有し、および
（ｉｉ）グリセリド油を第四級アンモニウム塩と接触させた後、処理されたグリセリド油を、第四級アンモニウムカチオンを含有する塩から分離して、工程（ｉ）で接触させたグリセリド油に比べて、前記金属の量が低下した処理されたグリセリド油を得る工程
を含む、前記方法。
【請求項２】
以下のさらなる工程：
（ｉｉｉ）分離工程の後に、処理されたグリセリド油を、少なくとも１つのさらなる精製工程に供する工程
を含む、請求項１記載の方法。
【請求項３】
少なくとも１つのさらなる精製工程が、脱臭工程を含み、該脱臭工程は、１６０℃〜２７０℃の温度で行われる、請求項２記載の方法。
【請求項４】
前記方法はさらに、グリセリド油の少なくとも１つのさらなる精製工程を含み、該精製工程は、工程（ｉ）における塩基性第四級アンモニウム塩による処理より前に行われる、請求項２または３記載の方法。
【請求項５】
少なくとも１つのさらなる精製工程（ｉｉｉ）が脱臭工程を含み、前記方法は、脱ガム工程および／または漂白工程を含まない、請求項２または３記載の方法。
【請求項６】
工程（ｉ）における接触より前でグリセリド油中の前記金属の合計量が、５０ｍｇ／ｋｇ〜５，０００ｍｇ／ｋｇである、請求項１から５までのいずれか１項記載の方法。
【請求項７】
工程（ｉｉ）で分離された処理されたグリセリド油が前記金属を、工程（ｉ）で接触させた処理されていないグリセリド油における前記金属の合計量の５０％未満の合計量で含有する、請求項１から６までのいずれか１項記載の方法。
【請求項８】
工程（ｉｉ）で分離される塩が、遊離脂肪酸のアニオンを含有する、請求項１から７までのいずれか１項記載の方法。
【請求項９】
接触工程を８０℃未満の温度で行う、請求項１から８までのいずれか１項記載の方法。
【請求項１０】
第四級アンモニウムカチオンが、
［Ｎ（Ｒa）（Ｒb）（Ｒc）（Ｒd）］+
から選択され、上記式中、Ｒa、Ｒb、ＲcおよびＲdはそれぞれ独立して、Ｃ1〜Ｃ8アルキルから選択され、ここでＲa、Ｒb、ＲcまたはＲdのうち１つ以上は任意で、Ｃ1〜Ｃ4アルコキシ、Ｃ2〜Ｃ8アルコキシアルコキシ、Ｃ3〜Ｃ6シクロアルキル、ＯＨ、ＳＨ、ＣＯ2ＲeおよびＯＣ（Ｏ）Ｒeから選択される１〜３個の基によって窒素原子と結合されていない炭素原子のところで置換されていてよく、ここでＲeは、Ｃ1〜Ｃ6アルキルである、
請求項１から９までのいずれか１項記載の方法。
【請求項１１】
Ｒa、Ｒb、ＲcおよびＲdはそれぞれ独立して、Ｃ1〜Ｃ4アルキルから選択され、ここでＲa、Ｒb、ＲcまたはＲdのうち少なくとも１つは、１つの−ＯＨ基によってそれぞれ置換されている、請求項１０記載の方法。
【請求項１２】
第四級アンモニウムカチオンがコリン：
（ＣＨ3）3Ｎ+ＣＨ2ＣＨ2ＯＨ
である、請求項１１記載の方法。
【請求項１３】
塩基性アニオンが、アルキル炭酸イオン、炭酸水素イオンおよび炭酸イオンから選択される、請求項１から１２までのいずれか１項記載の方法。
【請求項１４】
工程（ｉ）で接触させる第四級アンモニウム塩が、重炭酸コリン：
（ＣＨ3）3Ｎ+ＣＨ2ＣＨ2ＯＨ  ＨＯＣＯＯ-
である、請求項１３記載の方法。
【請求項１５】
塩基性アニオンが、水酸化物イオンおよびアルコキシドイオンから選択される、請求項１から１２までのいずれか１項記載の方法。
【請求項１６】
工程（ｉ）で接触させる塩基性第四級アンモニウム塩が、水酸化コリン：
（ＣＨ3）3Ｎ+ＣＨ2ＣＨ2ＯＨ  ＯＨ-
である、請求項１５記載の方法。
【請求項１７】
塩基性第四級アンモニウム塩を含有する液体が溶媒を含有し、該液体中の第四級アンモニウム塩の濃度が、１５質量％〜９０質量％である、請求項１から１６までのいずれか１項記載の方法。
【請求項１８】
塩基性第四級アンモニウム塩を含有する液体が、溶媒を含有し、ここで前記液体中の第四級アンモニウム塩の濃度は、５０質量％〜９０質量％である、請求項１３または１４記載の方法。
【請求項１９】
塩基性第四級アンモニウム塩を含有する液体が、溶媒を含有し、ここで前記液体中の第四級アンモニウム塩の濃度は、１５質量％〜６０質量％である、請求項１５または１６記載の方法。
【請求項２０】
グリセリド油が植物油である、請求項１から１９までのいずれか１項記載の方法。
【発明の詳細な説明】
【技術分野】
【０００１】
本発明は、金属含有グリセリド油から金属を除去する方法、およびこの方法をグリセリド油精製に組み込むことに関する。本発明はまた、グリセリド油の金属含分を低下させるための、グリセリド油を、塩基性第四級アンモニウム塩と接触させる使用に関する。
【０００２】
人間もしくは動物が消費するための、またはその他の家庭用途および商業用途（バイオディーゼルの製造を含む）のための、天然源から抽出可能なグリセリド油は数多くある。このようなグリセリド油は例えば、植物油、魚油、ならびに動物性の脂肪および油脂がある。通常、グリセリド油は使用前に精製に供する必要があるが、この精製は、特定の油および関連する水準、および抽出後のあらゆる汚染の性質に応じて、様々である。
【０００３】
例えばパーム油は、主にアブラヤシの果実から誘導される植物油であり、グリセリンでエステル化されている幾つかの脂肪酸（パルミチン酸およびオレイン酸を含む）から構成されている。パーム油には多様な用途があり、通常はバイオディーゼルにおける、また食品製造における、または食品添加剤としての使用と関連しており、その一方でパーム油は、化粧品および清掃用品における添加剤としても使用される。生のパーム油は、ビタミンＥを含有することで知られており、またカロテン（プロビタミンＡ活性と関連）が最も豊富な天然植物源の１つであり、これはパーム油を、抗酸化剤の供給源として使用することも考えている。
パーム油は、大量の高飽和脂肪を含有し、高い酸化安定性を有し、コレステロールがもともと低く、そのコストが低いこともあって食品産業では、特定の加工食品製品におけるトランス不飽和脂肪の代替物として、ますます使用されている。しかしながら、その他のグリセリド油と同様、食用にするためには、生のパーム油は、精製法を経て、望ましくない成分を除去しなければならない。生のパーム油は、グリセリンでエステル化されていないモノグリセリド、ジグリセリド、およびトリグリセリド、カロテン、ステロール、また遊離脂肪酸（ＦＦＡ）を含有する。ＦＦＡによって、油の分解、および油焼けの増加につながり、このためこれは、精製工程において除去を望む複数の成分のうちの１つである。
【０００４】
精製法により除去すべきパーム油の別の汚染物質は、金属性汚染物質である。生のグリセリド油の金属性汚染物質のうち、最も知られているものの１つは鉄であり、これはグリセリド油の加工および貯蔵で使用される機械およびタンクに起因するものと考えられる。塩化鉄（ＩＩＩ）もまた、水処理において凝固剤として使用され、これは植物の生長の間に吸収され得る。生のグリセリド油は、相当量のナトリウム、カリウム、カルシウム、マグネシウム、クロム、ニッケル、およびアルミニウムの金属を有することが知られている。植物油との関連で、カリウム、カルシウムおよびマグネシウムは、植物材料において最も豊富な金属成分であることが知られている。
【０００５】
グリセリド油の金属含分は、その官能特性およびその貯蔵安定性に対して著しい影響をもたらすことがある。例えば、金属性汚染物質、特に鉄は、脱臭の間に油の黒ずみを引き起こすことがあり、さらに少量の鉄であっても、油の安定性を著しく低下させることがある（International Journal of Energy and Environment (IJEE), 2011 , 2, 671〜676）。鉄、銅、コバルト、ニッケル、およびマンガンは全て、酸化促進特性を有することが報告されており、グリセリド油を酸化により劣化させると報告されてきた。一方で、例えば水銀、鉛、カドミウムおよびクロムといった金属については、その毒性が知られている。
【０００６】
グリセリド油はまた、エステル交換法を用いてバイオディーゼルを製造するためにも使用可能なことが知られており、この方法で油のトリグリセリド成分は、エステル交換触媒の存在下でアルコールと接触させることにより、脂肪酸メチルエステル（ＦＡＭＥ）に変換される。油中の金属性汚染物質は、エステル交換触媒の性能に対して不利益な効果をもたらすことがあり、通常は、バイオディーゼル製造法において使用するより前に、遷移金属イオンの濃度を１ｍｇ／ｋｇ未満に低下させることが必要となる。
【０００７】
従って、食品、およびバイオディーゼルなどで適用するために、グリセリド油の汚染物質である金属イオンを除去することにますます関心が持たれている。
【０００８】
典型的な精製法の一部として、生のグリセリド油は、水洗浄、および／またはリン酸水溶液および／またはクエン酸水溶液を用いた処理による脱ガムを経る。水洗浄は、水和性ホスファチドを除去し、その一方で酸処理は、非水和性リン脂質成分を除去するために使用される。脱ガム工程は、リン脂質成分除去の結果として、リンの供給源を除去する。脱ガムはまた同時に、金属イオンを油から除去することができ、これは非水和性ホスファチド中で、ホスファチド酸の塩を形成する。食用油の精製は通常、着色性物質（クロロフィルを含む）、残存する石鹸およびガム、および酸化生成物の含分を除去するために、漂白土または漂白粘土による漂白も含む。漂白法は、痕跡量の金属を吸収および抽出することもできる。しかしながら、脱ガムおよび漂白はいずれも、あらゆる目的のために充分な金属性汚染物質の含分を低下させることはできない。
【０００９】
米国特許第６，４０７，２７１号明細書（US 6,407,271）は、ポリカルボン酸の塩、好ましくは四ナトリウムＥＤＴＡの水溶液で油を乳化させることによって、リン脂質および／または多価金属を植物油から除去し、ミセルの微細な懸濁液を形成する方法を記載しており、その後、遠心分離または限外濾過が行われる。ＥＤＴＡ塩は、金属性の多価カチオン（例えばＦｅ（ＩＩ）、Ｆｅ（ＩＩＩ）、Ｃａ（ＩＩ）およびＭｇ（ＩＩ））をキレート化して、金属カチオンと、脱ガムで使用されるホスファチド酸またはリン酸またはクエン酸との塩よりも安定的な錯体を形成すると言われている。
【００１０】
国際公開第１９９４／０２１７６５号（WO1994/021765）は、グリセリド油中のＦＦＡを中和すると同時に、痕跡量の金属を含む汚染物質を除去する方法を記載している。油を、固体のアルカリ金属ケイ酸塩（例えばメタケイ酸ナトリウム五水和物、およびポリケイ酸水和ナトリウム）と接触させ、それから加熱およびろ過する。
【００１１】
国際公開第２０１２／００４８１０号（WO 2012/004810）は、粘土で処理し、続いてイオン交換樹脂で処理することにより、油および脂肪中の金属を除去する方法を開示している。この方法は、吸着剤と樹脂材料の双方に依存しており、これにより、特に、粘土および／またはイオン交換樹脂を再利用するために再生工程を方法に組み込む場合には、精製法と関連する材料および設備の費用が増大する。
【００１２】
極性溶媒による液・液抽出技術は、グリセリド油のための油処理として、例えばＦＦＡの除去のために以前に開示されており、これは汚染物質の溶解性の相違、および特定の溶媒相への選択的な分別による油作用分離に基づき行われる。Meirellesらは、Recent Patents on Engineering 2007, 1, 95〜102で、植物油の脱酸へのこのようなアプローチについて概観をもたらしている。液・液抽出法は一般的に、室温で行うことができることに基づいて有利であると考えられており、これらは廃棄生成物を出さず、中性油損失が低いことが利点である。しかしながらMeirellesらは、液・液抽出法の実施との関連で著しい投資コストがかかること、および全体としての利点となるかどうかは疑わしいことを述べている。さらに、液・液抽出技術で使用される極性溶媒はしばしば、ＦＦＡに加えてモノグリセリドおよびジグリセリドも、油から除去する能力を有し、このことは望ましくないことがある。
【００１３】
イオン性液体は、抽出のためにあり得る溶媒として、幾分注目を集めてきた。J. Chem. Tecnol. Biotechnol. 2005, 80, 1089〜1096は、様々な物質（金属イオンを含む）の抽出における溶媒としての、イオン性液体の近年の適用について概観している。しかしながら、金属イオン抽出は、油相からの抽出とは逆に、金属イオンが水相から非混和性のイオン性液相へと抽出される場合に限られている。抽出は、液相中に溶解された抽出剤／配位子／金属キレート剤の使用を組み込み可能なことが報告されている。より最近では、金属配位性官能基が組み込まれた、目的特化型イオン性液体（ＴＳＩＬ）が開発されている。例えば、チオ尿素および尿素誘導体の側鎖を有するＴＳＩＬは、水相からのＨｇ2+およびＣｄ2+の分別を劇的に増加可能なことが提示されている。
【００１４】
J. Phys. Chem. B 2006, 110, 20978〜20992は、金属酸化物の可溶化において使用するための、プロトン化されたベタインビス（トリフルオロメチルスルホニル）イミドに基づく特定のＴＳＩＬを記載している。典型的な実験としては、金属酸化物を、ベタイニウムビス（トリフルオロメチルスルホニル）イミドと水との混合物に溶解させたものが、記載されている。水の存在により、イオン性液体中の金属酸化物の溶解が容易になると言われている。この形態の抽出は、金属酸化物を水相から、明確なイオン性液相へと選択的に分別することに相当する。イオン性液相への金属酸化物の溶解は、プロトン化されたベタインビス（トリフルオロメチルスルホニル）イミドの金属錯体を形成すると言われており、これを引き続き、酸水溶液による処理で分解して、イオン性液体を再生することができる。この処理は、金属酸化物を抽出するための使用としてのみ報告されており、その他の金属含有化合物または遊離金属イオンについては報告されていない。さらに、イオン性液体が、油相からの金属酸化物の抽出に適しているという示唆は無い。
【００１５】
抽出のためのＴＳＩＬの使用に関する問題は、その使用が、抽出すべき化学種、および抽出が行われる流体相の性質に基づいて、また特に不安定な官能基を有するものの場合には、流体相中に存在する他の化学種との不所望の相互作用に基づいて、限定されていることである。前述のベタイニウムビス（トリフルオロメチルスルホニル）イミド相の性質は、ｐＨと温度の双方に依存することが知られている。その結果、金属酸化物錯体に対するベタイニウムビス（トリフルオロメチルスルホニル）イミドの性能は、酸性の化学種の存在によって阻害され得る。グリセリド油はその精製の程度に応じて、様々なＦＦＡ含分を有することで知られており、これは油のプロトン活性に対して著しい影響を与えることがある。これは、油から抽出されるべき金属についての性能にも、影響をもたらし得る。
【００１６】
慣用のグリセリド油精製法に組み込み可能であり、かつ価値の高い精製グリセリド油製品をもたらすことができ、その一方で、精製と関連するエネルギーの節約を最大化する、グリセリド油から金属を除去する代替的な方法に対する需要が存在する。
【００１７】
本発明は、塩基性アニオンを含有する塩基性第四級アンモニウム塩が有利なことに、グリセリド油から金属を抽出するために利用できるという意想外の発見に基づき、この処理はまた、グリセリド精製法に容易に組み込み可能である。塩基性第四級アンモニウム塩は、クロム、マンガン、鉄、コバルト、ニッケルおよび銅を抽出するために、特に有用であり、このため、これらの金属の不純物によって促進されるグリセリド油の酸化による劣化を防止するために、有用である。
【００１８】
加えて、塩基性第四級アンモニウム塩を含有する液体によるグリセリド油の処理は、色素および臭気化合物（これは通常、別個の漂白工程で、高温（例えば２４０℃〜２７０℃）の脱臭工程で、それぞれ慣用の精製法の間に除去される）を少なくとも部分的に除去することが判明している。第四級アンモニウム塩を含有する液体による処理はまた、グリセリド油を少なくとも部分的に脱ガムすることが判明している。塩基性第四級アンモニウム塩を含有する液体によるグリセリド油の処理によってまた、後続の脱臭工程においてより低い温度および／またはより短い時間を使用することができる。これには、塩基性第四級アンモニウム塩による金属除去工程を含む精製法と関連するエネルギー必要量および材料コストを削減するという利点がある。よって第一の態様において本発明は、以下の工程を有する、金属含有グリセリド油から金属を除去する方法をもたらす：
（ｉ）クロム、マンガン、鉄、コバルト、ニッケルおよび銅から成る群からの少なくとも１種の金属を含有するグリセリド油を、塩基性第四級アンモニウム塩を含有する液体と接触させて、処理されたグリセリド油を形成する工程、ここで前記グリセリド油は、前記金属を１０ｍｇ／ｋｇ〜１０，０００ｍｇ／ｋｇの合計量で含有し、かつ塩基性第四級アンモニウム塩は、水酸化物イオン、アルコキシドイオン、アルキル炭酸イオン、炭酸水素イオン、炭酸イオン、セリン酸イオン、プロリン酸イオン、ヒスチジン酸イオン、トレオニン酸イオン、バリン酸イオン、アスパラギン酸イオン、タウリン酸イオン、およびリシン酸イオンから選択される塩基性アニオンと、第四級アンモニウムカチオンとを含有し、および
（ｉｉ）グリセリド油を第四級アンモニウム塩と接触させた後、処理されたグリセリド油を、第四級アンモニウムカチオンを含有する塩から分離して、工程（ｉ）で接触させたグリセリド油に比べて、前記金属の量が低下した処理されたグリセリド油を得る工程。
【００１９】
工程（ｉ）における接触より前でグリセリド油中における特定の金属の合計濃度は、好ましくは５０ｍｇ／ｋｇ〜５，０００ｍｇ／ｋｇ、より好ましくは１００ｍｇ〜２，０００ｍｇ／ｋｇである。
【００２０】
本発明の方法による塩基性第四級アンモニウム塩処理は、事前に何ら精製工程を経ていない生の金属含有グリセリド油に、適切に適用することができる。代替的に上記方法は、塩基性第四級アンモニウム塩による処理より前に１つ以上のさらなる精製工程を経た、金属含有グリセリド油に適用することができる。
【００２１】
よって塩基性第四級アンモニウム塩による処理は、グリセリド油精製法に幾つかの段階で組み込むことができる。例えばこの処理は、高温にさらして金属性汚染物質、特に鉄の量を減らす工程（さもなくば、グリセリド油の黒ずみにつながり、官能特性に否定的な影響がもたらされる）に先行する段階で行うことができる。代替的にこの処理は、精製法の終わりに向かって、加工と関連する金属容器または機械との接触後（この際に金属が、特に高温では、油中に溶出しやすい）に、金属性汚染物質の水準を低下させる手段として行うことができる。この柔軟性によって、本発明に従った塩基性第四級アンモニウム塩による処理が、既存の精製法および精製システムに組み込むために、特に魅力的になる。
【００２２】
よって別の態様において、本発明の方法は好ましくは、以下のさらなる工程：
（ｉｉｉ）処理されたグリセリド油を、分離工程（ｉｉ）後に、少なくとも１つのさらなる精製工程に供する工程
を有する。
【００２３】
ここで使用する「グリセリド油」という用語は、その主成分としてトリグリセリドを含有する油または脂肪を言う。トリグリセリド成分は例えば、グリセリド油の少なくとも５０質量％であり得る。グリセリド油は、モノグリセリドおよび／またはジグリセリドを含有することもできる。グリセリド油は好ましくは、天然供給源（例えば植物、動物または魚／甲殻類の供給源）から少なくとも部分的に得られ、食用であることも好ましい。グリセリド油は、植物油、魚油および動物性の油／脂肪を含み、これらは通常、その生の形態でリン脂質成分も含有する。
【００２４】
植物油は、全ての植物、ナッツおよび種の油を含む。本発明で使用可能な適切な植物油の例は、以下のものを含む：アサイーオイル、アーモンド油、ブナの実油、カシューナッツ油、ココナツ油、ナタネ油、トウモロコシ油、綿実油、グレープフルーツシードオイル、グレープシードオイル、ヘーゼルナッツ油、麻の実油、レモン油、マカデミア油、カラシ油、オリーブ油、オレンジ油、パーム油、ピーナツ油、ペカン油、松の実油、ピスタチオ油、ケシの実油、菜種油、米ぬか油、紅花油、ごま油、大豆油、ヒマワリ油、クルミ油、および麦芽油である。ココナツ油、トウモロコシ油、綿実油、落花生油、オリーブ油、パーム油、菜種油、米ぬか油、紅花油、大豆油、およびヒマワリ油から選択される植物油が好ましい。植物油がパーム油であるのが、最も好ましい。
【００２５】
適切な魚油は、脂っぽい魚または甲殻類（例えばオキアミ）の組織から誘導される油、および藻類から誘導される油を含む。適切な動物性の油／脂肪の例は、ブタ油（ラード）、アヒル油、ガチョウ油、獣脂およびバターである。
【００２６】
グリセリド油中に存在していてよいＦＦＡは、モノ不飽和、ポリ不飽和、および飽和ＦＦＡを含む。不飽和ＦＦＡの例は、以下のものを含む：ミリストレイン酸、パルミトレイン酸、サピエン酸、オレイン酸、エライジン酸、バクセン酸、リノレン酸、リノエライジン酸、α−リノレン酸、アラキドン酸、エイコサペンタン酸、エルカ酸、およびドコサヘキサエン酸。飽和ＦＦＡの例は、以下のものを含む：カプリル酸、カプリン酸、ウンデシル酸、ラウリン酸、トリデシル酸、ミリスチン酸、パルミチン酸、マルガリン酸、ステアリン酸、ノナデシル酸、アラキドン酸、ヘンエイコシル酸、ベヘン酸、リグノセリン酸、およびセロチン酸。
【００２７】
本発明で使用されるグリセリド油は好ましくは、植物油である。グリセリド油は、ココナツ油、トウモロコシ油、綿実油、落花生油、オリーブ油、パーム油、菜種油、米ぬか油、紅花油、大豆油、およびヒマワリ油から選択される植物油であるのが、最も好ましい。 植物油がパーム油であるのが、最も好ましい。
【００２８】
ここで使用する「パーム油」という用語は、アブラヤシ属の系統から少なくとも部分的に誘導される油を含み、ヤシ属の一部を形成し、Elaeis guineensis（ギニアアブラヤシ）およびElaeis oleifera（アメリカアブラヤシ）の種、またはこれらの交雑種を含む。よってここで言うパーム油はまた、パーム核油も含む。本発明の方法に従って処理されるパーム油は、生であるか、または生ではない（少なくとも部分的に精製されている）。よって、ここで言うパーム油はまた、フラクション化されたパーム油、例えばパーム油ステアリンまたはパーム油オレインフラクションも含む。
【００２９】
ここでグリセリド油について使用する「生」という用語は、油抽出に続く精製工程を経ていないグリセリド油を意味することが意図されている。例えば、生のグリセリド油は、脱ガム、脱酸、脱ろう、漂白、脱色、または脱臭を経ていないであろう。ここでグリセリド油との関連で使用する「精製された」とは、１つ以上の精製工程、例えば脱ガム、脱酸、脱ろう、漂白、脱色、および／または脱臭を経たグリセリド油を意味することが意図されている。
【００３０】
金属含有グリセリド油との関連で、ここで使用する「金属」という用語は、金属含有化合物または錯体、また遊離金属イオンを言う。金属含有化合物は、金属塩、金属酸化物、または金属硫化物などを含み、その一方で錯体は例えば、配位錯体を含む。
【００３１】
本発明の方法は、クロム、マンガン、鉄、コバルト、ニッケルおよび銅に加えて、さらなる金属を除去することができ、これらの金属は、アルカリ金属（例えばナトリウムおよびカリウム）、アルカリ土類金属（例えばマグネシウムおよびカルシウム）、さらなる遷移金属（例えば亜鉛、カドミウムおよび水銀）、および後期遷移金属（例えばアルミニウム、錫および鉛）を含む。
【００３２】
ここで、工程（ｉｉ）における「第四級アンモニウムカチオンを含有する塩」とは、工程（ｉ）で接触させる第四級アンモニウム塩から、少なくとも、工程（ｉｉ）で分離された塩中に存在する第四級アンモニウムカチオンによって誘導される塩を言うことが意図されている。幾つかの例では、グリセリド油はＦＦＡを含有し、第四級アンモニウムカチオンを含有する塩はまた、脂肪酸のアニオンも含有する。さらなる例において、第四級アンモニウムカチオンを含有する塩は、工程（ｉ）で接触させた第四級アンモニウム塩と同じアニオンを有する。言い換えると、工程（ｉｉ）で分離した塩は、工程（ｉ）で接触させた塩と同じである。
【００３３】
ここで使用する「第四級アンモニウムカチオン」という用語は、正の電荷を有する少なくとも１つの窒素原子を有するカチオンを指すことが意図されており、その窒素原子は、炭素原子に対してのみ結合している。窒素原子は飽和していてよく、単結合によって４つの炭素原子に結合している。または窒素原子は不飽和であってよく、単結合によって２つの炭素原子に、そして二重結合によって第三の炭素原子に結合している。窒素原子が不飽和である場合、これは複素芳香族環の一部、例えばイミダゾリウムカチオンであり得る。窒素原子が飽和している場合、これは脂環式環の一部、例えばピロリジニウムまたはピペリジニウムのカチオンであり得る。窒素原子は好ましくは、４つの置換されたまたは非置換のＣ1〜Ｃ12ヒドロカルビル基に結合しており、この基は、正の電荷を有する窒素原子に結合されていない炭素原子にさらなる置換基を有することができる。「ヒドロカルビル基」という用語は、炭化水素から誘導される一価の基を言い、アルキル基、シクロアルキル基、アルケニル基、アルキニル基、またはアリール基を含むことができる。
【００３４】
ここで言う第四級アンモニウム塩は、塩を含有する液体の形態でもたらされる。第四級アンモニウム塩は非揮発性であり、液体の一部として、イオン形態でのみ存在する。この液体は、適切な溶媒中の塩の溶液であり得る。適切な溶媒は、極性溶媒、例えば水性またはアルコール性の溶媒、例えば水、メタノールもしくはエタノール、またはこれらの混合物を含む。溶媒は、水であるのが好ましい。第四級アンモニウム塩は、イオン性液体であってよく、その場合、工程（ｉ）で接触させた液体は、実質的にイオン性液体から成っていてよいか、またはイオン性液体と、１種以上の補助溶媒とを含有することができる。適切な補助溶媒は、極性溶媒、例えば水性またはアルコール性の補助溶媒、例えば水、メタノール、エタノール、またはこれらの混合物を含む。
【００３５】
ここで使用するように「イオン性液体」という用語は、塩の溶融によって製造可能な液体を言い、このようにして製造した場合、イオンのみから成る。イオン性液体は、１種のカチオンと、１種のアニオンとを含有する均質な物質から形成されていてよい。またはイオン性液体は、１種より多くのカチオン、および／または１種より多くのアニオンから構成されていてよい。よってイオン性液体は、１種より多くのカチオンと、１種のアニオンとから構成されていてよい。イオン性液体はさらに、１種のカチオンと、１種以上のアニオンとから構成されていてよい。さらにイオン性液体は、１種のカチオンと、１種より多くのアニオンとから構成されていてよい。「イオン性液体」という用語は、高い融点を有する化合物と、低い融点（例えば室温、または室温未満）を有する化合物との両方を含む。イオン性液体は好ましくは、２００℃未満、より好ましくは１００℃未満、最も好ましくは３０℃未満の融点を有する。
【００３６】
本発明に従って接触工程（ｉ）で使用される第四級アンモニウム塩の第四級アンモニウムカチオンは好ましくは、
［Ｎ（Ｒa）（Ｒb）（Ｒc）（Ｒd）］+
から選択され、上記式中、Ｒa、Ｒb、ＲcおよびＲdはそれぞれ独立して、Ｃ1〜Ｃ8アルキルから選択され、ここで１つ以上のＲa、Ｒb、ＲcおよびＲdは任意で、Ｃ1〜Ｃ4アルコキシ、Ｃ2〜Ｃ8アルコキシアルコキシ、Ｃ3〜Ｃ6シクロアルキル、−ＯＨ、−ＳＨ、−ＣＯ2Ｒeおよび−ＯＣ（Ｏ）Ｒeから選択される１〜３個の基、例えば１〜３個の−ＯＨ基によって窒素原子と結合されていない炭素原子のところで置換されていてよく、ここでＲeは、Ｃ1〜Ｃ6アルキルである。
【００３７】
より好ましくは、第四級アンモニウムカチオンは、
［Ｎ（Ｒa）（Ｒb）（Ｒc）（Ｒd）］+
から選択されており、上記式中、Ｒa、Ｒb、ＲcおよびＲdはそれぞれ独立して、メチル、エチル、ｎ−プロピル、イソプロピル、ｎ−ブチル、ｓｅｃ−ブチル、イソブチルおよびｔｅｒｔ−ブチルを含むＣ1〜Ｃ4アルキルから選択され、ここでＲa、Ｒb、ＲcまたはＲdのうち少なくとも１つは、１つの−ＯＨ基によってそれぞれ置換されている。置換されたＲa、Ｒb、ＲcまたはＲdは好ましくは、２−ヒドロキシエチル、２−ヒドロキシプロピル、または２−ヒドロキシ−２−メチルエチルである。
【００３８】
第四級アンモニウムカチオンは最も好ましくは、コリン：（ＣＨ3）3Ｎ+ＣＨ2ＣＨ2ＯＨである。
【００３９】
本発明の方法の接触工程（ｉ）で使用される第四級アンモニウム塩は、水酸化物イオン、アルコキシドイオン、アルキル炭酸イオン、炭酸水素イオン、炭酸イオン、セリン酸イオン、プロリン酸イオン、ヒスチジン酸イオン、トレオニン酸イオン、バリン酸イオン、アスパラギン酸イオン、タウリン酸イオン、およびリシン酸イオンから選択される塩基性アニオンも含有する。
【００４０】
本発明の１つの態様において、塩基性アニオンは、アルキル炭酸イオン、炭酸水素イオン、炭酸イオン、水酸化物イオン、およびアルコキシドイオンから選択される。好ましいのは、炭酸水素イオン、アルキル炭酸イオンおよび炭酸イオンである。より好ましいのは、炭酸水素イオンである。
【００４１】
塩基性アニオンが、アルコキシドイオンまたはアルキル炭酸イオンから選択される場合、アルキル基は直鎖状または分枝鎖状であってよく、置換または非置換であり得る。１つの好ましい実施形態において、アルキル基は置換されていない。別の好ましい実施形態において、アルキル基は非分枝状である。より好ましい実施形態では、アルキル基は非置換であり、非分枝状である。アルキル基は、１〜１０個の炭素原子、好ましくは１〜８個の炭素原子、より好ましくは１〜４個の炭素原子を有することができる。よってアルキル基は、メチル、エチル、プロピル、ブチル、ペンチル、ヘキシル、ヘプチル、オクチル、ノニル、および／またはデシルから選択することができる。分枝鎖状アルキル基、例えばイソ−プロピル、イソ−ブチル、ｓｅｃ−ブチルおよび／またはｔｅｒｔ−ブチルを使用することもできると理解されるだろう。特に好ましいのは、メチル、エチル、プロピル、およびブチルである。さらに好ましい実施形態においてアルキル基は、メチルおよびエチルから選択される。
【００４２】
本発明の態様において、塩基性アニオンは、セリン酸イオン、プロリン酸イオン、ヒスチジン酸イオン、トレオニン酸イオン、バリン酸イオン、アスパラギン酸イオン、タウリン酸イオンおよびリシン酸イオンから、好ましくはセリン酸イオン、リシン酸イオン、プロリン酸イオン、タウリン酸イオンおよびトレオニン酸イオンから、より好ましくはリシン酸イオン、プロリン酸イオンおよびセリン酸イオンから選択され、最も好ましくは、塩基性アニオンはリシン酸イオンである。
【００４３】
本発明の方法から直接得られるグリセリド油を、消費のために適切にするには、工程（ｉ）で油と接触させるために使用される第四級アンモニウム塩が、また工程（ｉｉ）で分離される第四級アンモニウムカチオンを含有する塩もほとんど、または全く毒性がなく、かつ／または容易に、かつ処理した油から実質的に分離可能であるのが望ましいと評価されるだろう。コリンカチオンを含有する第四級アンモニウム塩は特に、本発明の方法による使用に適している。コリンは、Ｂ錯体ビタミンに属する水溶性の必須栄養素であり、アセチルコリンの前駆体であり、多くの生理学的機能に関係する。コリンは特に毒性が低く、生分解性に優れており、本発明の方法で特に有用な第四級アンモニウムカチオンを形成可能な天然成分として知られている。
【００４４】
よって、本発明の特に好ましい実施形態では、第四級アンモニウム塩は、重炭酸コリン：（ＣＨ3）3Ｎ+ＣＨ2ＣＨ2ＯＨ  ＨＯＣＯＯ-、コリンアルキルカーボネート：（ＣＨ3）3Ｎ+ＣＨ2ＣＨ2ＯＨ  ＲＯＣＯＯ-（ここでＲはアルキル基である）、または水酸化コリン：（ＣＨ3）3Ｎ+ＣＨ2ＣＨ2ＯＨ  ＯＨ-から選択される。
【００４５】
セリン酸イオン、プロリン酸イオン、ヒスチジン酸イオン、トレオニン酸イオン、バリン酸イオン、アスパラギン酸イオン、タウリン酸イオンおよびリシン酸イオンから選択される塩基性アニオンを含有する第四級アンモニウム塩もまた、これらのアミノ酸誘導体の毒性が特に低いため、本発明の方法に特に適している。
【００４６】
本発明の最も好ましい実施形態において第四級アンモニウム塩は、重炭酸コリン：（ＣＨ3）3Ｎ+ＣＨ2ＣＨ2ＯＨ  ＨＯＣＯＯ-である。
【００４７】
接触工程（ｉ）で使用される第四級アンモニウム塩、また工程（ｉｉ）で分離される第四級アンモニウムカチオンを含有する塩も好ましくは、油溶性が低く、非油相（例えば水相）へと優先的に隔離され、これによって処理された油からの除去が容易になる。より好ましくは、第四級アンモニウム塩は、油と非混和性である。油と非混和性であるとは、第四級アンモニウム塩で飽和したグリセリド油が、第四級アンモニウム塩を５０ｍｇ／ｋｇ未満、好ましくは３０ｍｇ／ｋｇ未満、より好ましくは２０ｍｇ／ｋｇ未満、最も好ましくは１０ｍｇ／ｋｇ未満、例えば５ｍｇ／ｋｇ未満、含有することを意味する。
【００４８】
第四級アンモニウム塩の溶解性はまた、第四級アンモニウム塩が水に不溶性または可溶性であるように、調整することもできる。水に不溶性とは、第四級アンモニウム塩が、５０ｍｇ／ｋｇ未満、好ましくは３０ｍｇ／ｋｇ未満、より好ましくは２０ｍｇ／ｋｇ未満、最も好ましくは１０ｍｇ／ｋｇ未満、例えば５ｍｇ／ｋｇ未満という、水への溶解性を有することを意味する。しかしながら好ましくは、第四級アンモニウム塩は、水と混和性である。
【００４９】
好ましい実施形態において、第四級アンモニウムカチオンは、直鎖状Ｃ12〜Ｃ18脂肪酸を有する融点が低い脂肪酸塩をもたらすように選択される。特に好ましい第四級アンモニウムカチオンは、１００℃未満の融点を有するこのような脂肪酸を有する塩を形成する。このような塩は分離工程（ｉｉ）の間に、以下で論じる液・液分離技術によって慣用的に分離することができる。
【００５０】
適切には、本発明の方法の接触工程（ｉ）は、８０℃未満、好ましくは２５〜６５℃、より好ましくは３５〜５５℃、例えば４０℃の温度で実施する。グリセリド油が室温で半固体の場合、第四級アンモニウム塩を含有する液体と接触させるために、グリセリド油が液状の形態であるように、高温が好ましいことが評価されるだろう。適切には、接触工程（ｉ）を、０．１ＭＰａ〜１０ＭＰａの圧力で行う（１ｂａｒ〜１００ｂａｒ）。
【００５１】
幾つかの実施形態では接触工程を、容器内でグリセリド油を、第四級アンモニウム塩を含有する液体と接触させることによって行うことができ、ここで生じる混合物は、例えば機械式撹拌器、超音波式撹拌器、電磁式撹拌器を用いて撹拌するか、または不活性ガスを混合物に通すことによって撹拌する。代替的に接触工程は、グリセリド油と、第四級アンモニウム塩を含有する液体との混合物を、スタチックミキサ（例えばSulzerミキサ、またはKenicsミキサ）に通過させることによって行うことができる。
【００５２】
適切には、第四級アンモニウム塩を含有する液体およびグリセリド油を、１：４０から１：３００の体積比で接触させることができる。接触工程は１分から６０分、好ましくは２〜３０分、より好ましくは５〜２０分、最も好ましくは８〜１５分、続けることができる。
【００５３】
油中に存在するＦＦＡは、第四級アンモニウム塩と接触した際に中和されて、第四級アンモニウム脂肪酸塩を形成することができる。好ましい実施形態において、接触工程で使用される第四級アンモニウム塩の量は、油中に含有されるＦＦＡのモル量と少なくとも化学量論量である。好ましくは、油中における第四級アンモニウム塩の、ＦＦＡに対するモル比は、１：１から１０：１、より好ましくは１：１から２：１である。グリセリド油中のＦＦＡ含分は、第四級アンモニウム塩による処理より前に、慣用の滴定技術（これは当業者であれば分かる）により特定することができる。例えば、フェノールフタレイン指示薬を用いた水酸化ナトリウムによる滴定は、グリセリド油のＦＦＡ含分を特定するために使用することができる。
【００５４】
接触工程（ｉ）において、第四級アンモニウム塩を含有する液体を、グリセリド油と接触させる。この液体は、これまでに記載した適切な溶媒または溶媒混合物を含有することができ、これらの溶媒は第四級アンモニウム塩およびグリセリド油と相容性である。溶媒、または溶媒混合物は、第四級アンモニウム塩を含有する液体の粘度を所望の通りに修正するために使用することができる。代替的に、溶媒の使用によって、第四級アンモニウム塩の反応を促進させるのに特に適した液系反応の液状構造に所望の特性をもたらすことができる。前述のように、この目的に適した溶媒は、極性溶媒、例えば水、またはアルコール、例えばメタノールまたはエタノールを含む。
【００５５】
好ましい実施形態において、第四級アンモニウム塩を含有する液体は、溶媒を含有し、ここで好ましくは、この液体中における第四級アンモニウム塩の濃度が、１５質量％〜９０質量％である。溶媒は好ましくは水、例えば脱イオン水である。
【００５６】
第四級アンモニウム塩の塩基性アニオンが、アルキル炭酸イオン、炭酸水素イオン、および炭酸イオンから選択される場合、特に塩基性アニオンが、炭酸水素イオンである場合、第四級アンモニウム塩を含有する液体が、溶媒、好ましくは水を含有するのが特に好ましく、この液体中における第四級アンモニウム塩の濃度は、５０質量％〜９０質量％、好ましくは７５質量％〜８５質量％である。
【００５７】
第四級アンモニウム塩の塩基性アニオンが、水酸化物イオンおよびアルコキシドイオンから選択される場合、特に塩基性アニオンが、水酸化物イオンである場合、第四級アンモニウム塩を含有する液体が、溶媒、好ましくは水を含有するのが特に好ましく、この液体中における第四級アンモニウム塩の濃度は、１５質量％〜６０質量％、好ましくは４０質量％〜５０質量％である。
【００５８】
液体が溶媒を含有する上記実施形態において、さらなる補助溶媒も存在していてよい。例えば、水が溶媒である場合、アルコール性の補助溶媒も１種または複数種、存在していてもよい。上記実施形態において、液体中における補助溶媒の濃度は例えば、液体の１質量％〜４０質量％、好ましくは１質量％〜１０質量％であり得る。
【００５９】
本方法の工程（ｉｉ）における第四級アンモニウムカチオンを含有する塩の分離は、重力による分離（例えば沈殿ユニット）によって行うことができ、ここで、処理されたグリセリド油は一般的に、上相であり、第四級アンモニウムカチオンを含有する塩は、あらゆる溶媒とともに、沈殿ユニットの下相に組み込まれる。第四級アンモニウムカチオンを含有する塩の分離はまた、例えばデカンタ、液体サイクロン、静電気式コアレッサー、遠心分離、または膜フィルタプレスによって達成することができる。これらの相は好ましくは、遠心分離を用いて分離する。接触および分離工程は、複数回繰り返して、例えば２〜４回行うことができる。
【００６０】
工程（ｉｉ）で分離された第四級アンモニウムカチオンを含有する塩が、接触工程（ｉ）の後に沈殿した固体である場合、例えば第四級アンモニウム脂肪酸塩の形成に続いて、固体の塩は、ろ過または遠心分離によって油から分離することができる。代替的に、先に記載したように油相と非混和性の極性溶媒を、固体の塩を溶解するために添加することができ、これに続いて塩を含有する相を、前述の方法によって油から分離することができる。
【００６１】
接触および分離工程はまた、向流の反応カラムで一緒に行うこともできる。グリセリド油（以下、「油供給流」）は一般的に、向流反応カラムの底部、または底部の近くで導入され、第四級アンモニウム塩を含有する液体（以下、「第四級アンモニウム塩供給流」）は、向流反応カラムの頂部、または頂部の近くで導入される。処理された油相（以下、「生成油流」）は、カラムの頂部から抜き出され、第四級アンモニウムカチオンを含有する塩を有する相、ならびに存在する場合には溶媒（以下、「二次流」）は、カラムの底部で、またはカラムの底部の近くで抜き出される。向流反応カラムが、二次流を集めるための液溜領域を有するのが好ましい。油供給流を、液溜領域のすぐ上方にある向流反応カラムに導入するのが好ましい。１つより多い向流反応カラム、連続的に配置された例えば２〜６個、好ましくは２〜３個のカラムを用いることができる。好ましくは、向流反応カラムは、規則充填材料または不規則充填材料、例えばガラスのラシヒリングで充填されており、これによって相境界表面が増大する。代替的に向流反応カラムは、複数のトレイを有することができる。
【００６２】
特に好ましい実施形態では、接触工程および分離工程を一緒に、接触式遠心分離器で行い、接触式遠心分離器は例えば、米国特許第４，９５９，１５８号明細書（US 4,959,158）、米国特許第５，５７１，０７０号明細書（US 5,571,070）、米国特許第５，５９１，３４０号明細書（US 5,591,340）、米国特許第５，７６２，８００号明細書（US 5,762,800）、国際公開第９９／１２６５０号（WO 99/12650）、および国際公開第００／２９１２０号（WO 00/29120）に記載されている。適切な接触式遠心分離器は、Costner Industries Nevada, Inc.によって供給されるものを含む。グリセリド油と、第四級アンモニウム塩を含有する液体は、接触式遠心分離器の環状の混合ゾーンへと、導入することができる。グリセリド油および第四級アンモニウム塩を含有する液体は好ましくは、別個の供給流として、環状の混合ゾーンに導入する。グリセリド油と、第四級アンモニウム塩を含有する液体は、環状の混合ゾーンで迅速に混合される。生成する混合物はそれから、分離ゾーンへと通過させ、その際に遠心分離力をこの混合物に適用して、油相と二次相とをきれいに分離させる。
【００６３】
複数の、好ましくは２〜６個、例えば２〜３個の接触式遠心分離器を、直列で使用するのが好ましい。好ましくは、油供給流を直列式の第一の接触式遠心分離器に導入し、その一方で、第四級アンモニウム塩供給流を含有する液体を、直列式の最後の接触式遠心分離器に導入し、これによって、例えばＦＦＡ含分または遊離塩化物アニオンの含分が次第に減少した油が、直列式の第一の接触式遠心分離器から最後の接触式遠心分離器へと通過し、その一方で、例えば第四級アンモニウムＦＦＡ塩の含分および／または第四級アンモニウム塩化物の含分が次第に増加した第四級アンモニウム塩の流れは、直列式の最後の接触式遠心分離器から、第一の接触式遠心分離器へと通過する。こうして、第四級アンモニウムカチオンを含有する塩を有する相は、第一の接触式遠心分離器から除去され、処理された油相は、直列式の最後の接触式遠心分離器から除去される。
【００６４】
必要であれば、処理されたグリセリド中に存在する残りの第四級アンモニウム塩は、生成油流をシリカカラムに通過させ、残りの第四級アンモニウム塩をシリカカラム上に吸着させることによって、回収することができる。吸着された第四級アンモニウム塩はその後、第四級アンモニウム塩用の溶媒を用いてシリカカラムから洗い流すことができ、第四級アンモニウム塩は、減圧下で溶媒を飛ばすことによって回収することができる。
【００６５】
処理されたグリセリド油はまた、非油相液体（例えば第四級アンモニウムカチオンの塩を含有する液体）の微細な液滴を凝集させるためのコアレッサーフィルタを通過させることができ、これによって連続相がもたらされ、相分離が容易になる。コアレッサーフィルタは、グリセリド油よりも第四級アンモニウム塩を含有する液体で湿らせるのがより容易な材料製のろ過媒体を含有するのが好ましく、このようなフィルタ媒体は例えば、ガラス繊維製、またはセルロース製である。
【００６６】
幾つかの実施形態において、例えば第四級アンモニウム塩がイオン性液体である場合、第四級アンモニウム塩を含有する液体は、担持材料上にもたらすことができる。本発明で使用するために適切な担体は、シリカ、アルミナ、アルミナ−シリカ、炭素、活性炭素、またはゼオライトから選択することができる。担体はシリカであるのが好ましい。担持形態は、適切な溶媒を含有するスラリーとしての油と接触させるためにもたらすことができ、ここで溶媒は、前述のものである。
【００６７】
担持された第四級アンモニウム塩を使用する場合、接触工程および分離工程はまた、担持された第四級アンモニウム塩で充填されたカラムに油を通過させることによって、一緒に行うこともできる（つまり充填床配置）。さらに、または代替的に、複数のプレートおよび／またはトレイを有する固定床配置を使用することができる。
【００６８】
第四級アンモニウム塩を担持材料上に担持するための手法は、その分野でよく知られている（例えば米国特許出願公開第２００２／０１６９０７１号明細書（US 2002/0169071）、米国特許出願公開第２００２／０１９８１００号明細書（US 2002/0198100）、および米国特許出願公開第２００８／０３０６３１９号明細書（US 2008/0306319））。第四級アンモニウム塩は通常、担持材料上に物理的に、または化学的に吸着されていてよいが、物理的に吸着されているのが好ましい。本発明の方法では、第四級アンモニウム塩は、１０：１から１：１０の第四級アンモニウム塩：担体の質量比で、好ましくは１：２から２：１の第四級アンモニウム塩：担体の質量比で、担体上に吸着されていてよい。
【００６９】
本発明による第四級アンモニウム塩を含有する液体による金属含有グリセリド油の処理は、グリセリド油の金属含分を低下させることができると判明した。油と、第四級アンモニウム塩を含有する液体とを接触させた結果として、幾つかの反応機構があり得ると考えられ、これについてさらに詳細に、以下で論じる。
【００７０】
グリセリド油の金属含分は、グリセリド油の抽出、加工および貯蔵に使用される金属容器および機械に由来すると考えられ、また生態系に存在する金属性の汚染物質、例えば肥料または汚染土に由来するとも考えられ、これらは草木によって吸収されることがあり、またはさもなくば、食物連鎖に入る。金属含有酵素、およびグリセリド油を生成する有機体の色素、およびグリセリド油の抽出および加工に際して形成されるその分解生成物もまた、グリセリド油の金属含分に貢献し得る。金属含有グリセリド油の金属は、遊離金属塩、例えば脂肪酸の金属塩の形態で、または金属含有化合物または錯体の形態で存在していてよい。
【００７１】
特定の理論に縛られるつもりはないが、本発明による塩基性第四級アンモニウム塩を含有する液体が金属を抽出すると考えられる反応機構としてあり得るのは、金属含有錯体を形成することによる反応機構である。このような錯体は、イオン性錯体、水素結合から生じる錯体、また電荷移動錯体を含むことができる。金属が、塩基性第四級アンモニウム塩処理によって抽出され得る別の可能性は、遊離金属カチオンとのカチオン交換であり、これによって油相を優先的に分別する塩が形成される。本発明による第四級アンモニウム塩の塩基性は、油のプロトン活性も低下させることができ、これによって金属含有化合物の沈殿に、または金属の水和酸化物の第四級アンモニウム塩の形成につながり得る。
【００７２】
本発明に従って使用される塩基性第四級アンモニウム塩は、油中に存在するＦＦＡを中和し、第四級アンモニウム脂肪酸塩を形成することが判明している。酸・塩基反応の結果として形成されたこれらの塩は、金属を錯体化させることもでき、工程（ｉｉ）で処理された油から塩を分離する際に、油から金属を除去することに貢献し得る。よって、工程（ｉ）で接触させるグリセリド油がＦＦＡを含有する幾つかの実施形態では、工程（ｉｉ）で分離される第四級アンモニウム塩を含有する塩は、脂肪酸のアニオンを含有することができる。
【００７３】
前述のように幾つかの実施形態では、塩基性第四級アンモニウム塩の第四級アンモニウムカチオンは、Ｃ1〜Ｃ4アルコキシ、Ｃ2〜Ｃ8アルコキシアルコキシ、Ｃ3〜Ｃ6シクロアルキル、−ＯＨ、−ＳＨ、−ＣＯ2Ｒeおよび−ＯＣ（Ｏ）Ｒeから選択される１〜３個の基によって置換されている１個以上のＣ1〜Ｃ8アルキル基を有することができ、ここでＲeは、Ｃ1〜Ｃ6アルキルである。ここで水素結合を形成可能な極性置換基、特に−ＯＨが存在する場合、このような基は、油中の金属との錯体の形成を強化することができる。よって、本発明の特に好ましい実施形態において第四級アンモニウムカチオンは、１〜３個の−ＯＨ基によって置換されたＣ1〜Ｃ8アルキル基を少なくとも１個有する。
【００７４】
好ましい実施形態において、工程（ｉｉ）で分離された処理されたグリセリド油は、前記金属を、工程（ｉ）で接触させた、処理されていないグリセリド油中における前記金属の合計量の５０％未満、好ましくは７５％未満の合計量で含有する。
【００７５】
グリセリド油中の金属の濃度を特定するために適した分析手法は、高解像度誘導結合プラズマ（ＩＣＰ）スペクトル分析、例えばＩＣＰ−ＭＳ（例えば、J. Agric. Food Chem. 2013, 61 , 2276-2283）、またはＩＣＰ−ＡＥＳ（プラズマ放射スペクトル分析、A. J. Dijkstra and D. Meert, J.A.O.C.S. 1982, 59, 199）、およびＸ線蛍光分析を含む。本発明との関連で金属濃度を特定するためには、ＩＣＰ−ＡＥＳを使用するのが好ましい。
【００７６】
本発明の好ましい実施形態では、グリセリド油を、第四級アンモニウム塩を含有する液体で処理した後に、少なくとも１つのさらなる精製工程を行う。当業者であれば、食用油の加工で通常使用される様々な精製工程について知っており、それには例えば“Practical Guide to Vegetable Oil Processing”、2008, Monoj K. Gupta, AOCS Pressで、また“AOCS Lipid Library” website lipidlibrary.aocs.orgの食用油加工の部分で論じられた精製工程が含まれる。
【００７７】
少なくとも１つのさらなる精製工程（ｉｉｉ）は例えば、脱ガム、漂白、脱ろう、脱色および脱臭から選択することができる。金属性汚染物質、特に鉄は、熱にさらされる間、例えば脱臭工程の場合に、グリセリド油の黒ずみを引き起こすことがあり、このため塩基性第四級アンモニウム塩処理は、脱臭に先行するのが好ましい。よって好ましい実施形態では、本発明の方法による少なくとも１つのさらなる精製工程は、脱臭を含む。
【００７８】
幾つかの実施形態では、少なくとも１つのさらなる精製工程（ｉｉｉ）は、脱ガム、漂白、および脱臭の工程を有する。あるいは別の実施形態では、少なくとも１つのさらなる精製工程（ｉｉｉ）は脱臭工程を含み、この方法は脱ガムおよび／または漂白を含まない。よって、例示的な実施形態において、少なくとも１つのさらなる精製工程は、脱ガムおよび脱臭の工程を含むが、漂白は含まない。別の例示的な実施形態において、少なくとも１つのさらなる精製工程は、漂白および脱臭の工程を含むが、脱ガムの工程は含まない。
【００７９】
本発明に従って第四級アンモニウム塩により処理することのさらなる利点は、塩基性第四級アンモニウム塩が、色素および臭気化合物（通常は慣用の精製法の間に、高温（例えば２４０℃〜２７０℃）の脱臭工程で除去される）を少なくとも部分的に除去することも判明していることである。グリセリド油を第四級アンモニウム塩で処理することは、より低い温度および／またはより短い時間が、精製法全体の一部としての脱臭工程のために使用可能になることを意味する。これは、精製法のエネルギー必要量の削減という利点を有する。
【００８０】
脱ガムは通常、油をリン酸水溶液および／またはクエン酸水溶液と接触させて、水和性ホスファチドと非水和性ホスファチド（ＮＨＰ）の双方を除去することを伴う。通常は、クエン酸またはリン酸を、５０質量％の水溶液として添加する。この酸水溶液を、油の質量を基準として酸が約０．０２％〜約０．３０％の量、好ましくは油の質量を基準として酸が約０．０５％〜約０．１０％の量で使用することが適切である。脱ガム工程は、約５０〜１１０℃、好ましくは８０〜１００℃、例えば９０℃の温度で行うことが適切である。脱ガム工程は５分〜６０分、好ましくは１５〜４５分、より好ましくは２０〜４０分、例えば３０分間、続くことが適切であり得る。酸処理に続く粘液の沈殿後に水相を分離し、それから、脱ガムされた油を通常は乾燥させる。脱ガムされた油の乾燥は、８０〜１１０℃の温度で、適切な時間、例えば２０〜４０分、減圧下、例えば２〜１０ｋＰａ（２０〜１００ｍｂａｒ）で行うのが適切である。
【００８１】
当業者であれば、ホスファチド含分が低い（例えば、リンの質量を基準として２０ｐｐｍ未満）グリセリド油のために、乾式脱ガム工程（水であまり希釈せずにリン酸またはクエン酸、例えば８５％の酸溶液を加える）を使用可能なことを知っている。ＮＨＰは、リン酸と、カルシウムまたはマグネシウムの重硫酸塩とに変換され、これらは油から、後続の漂白工程で除去できる。ホスファチド、特にＮＨＰが多い油のためには、過剰量の漂白土が必要となるため、乾式脱ガムはあまり適していないことが知られている。
【００８２】
漂白は、着色性物質（クロロフィルを含む）、残存する石鹸およびガム、痕跡量の金属および酸価生成物を減らすために、食用油の精製法に組み込まれる。漂白は通常、油を一定量（例えば油の物質を基準として０．５〜５質量％）の漂白粘土または漂白土と接触させることを伴う。漂白粘土または漂白土は通常、カルシウムモンモリロナイト、アタパルジャイト、およびセピオライトという三種の粘土鉱物のうち１種以上から構成される。適切な漂白粘土または漂白土（中性および酸性の活性粘土（例えばベントナイト）を含む）を、本発明に従って使用することができる。油は、漂白粘土と１５〜４５分、好ましくは２０〜４０分にわたり適切に接触させ、それから漂白土を、通常はろ過によって分離する。油は通常、漂白粘土または漂白土と、８０℃〜１２５℃の温度、好ましくは９０℃〜１１０℃の温度で接触させる。大気圧下で行われた接触（「湿式漂白」）の初期時間に続き、漂白工程の第二段階を減圧下で（「乾式漂白」）、例えば２〜３ｋＰａ（２０〜３０ｍｂａｒ）で行う。
【００８３】
慣用のグリセリド油精製法は通常、強塩基（例えば水酸化ナトリウムまたは水酸化カリウム）によるＦＦＡ中和工程を含む（いわゆる「化学的な精製」法に相当）。脱酸は代替的には、揮発性のＦＦＡをその工程で除去する（いわゆる「物理的な精製」法）ことが保証されるように、脱臭パラメータを調節することによって達成できる。ＦＦＡ中和工程（「化学的な精製」）の欠点は、油の不所望な鹸化、トリグリセリド含分の低下を伴うことであり、その一方でＦＦＡからの石鹸形成は、乳化の結果として、中性油の実質的な損失につながり得る。本発明の精製法の一部をなす第四級アンモニウム塩処理は、油中のＦＦＡを中和する際に効果的であり、化学的な精製法で使用される慣用の中和工程と完全に置き換えることができる。第四級アンモニウム塩による処理には有利なことに、より少ない鹸化につながるか、または鹸化が起こらない、特に重炭酸塩を使用する場合、中性油のより少ない鹸化につながるか、または中性油の鹸化が起こらないという利点がある。よって、本発明の好ましい実施形態において精製法は、無機塩基（例えば水酸化ナトリウム）による中和工程を含まない。
【００８４】
当業者であれば分かるように、脱臭は、ストリッピング剤の量が、通常直接注入によって、減圧下で一定の時間、油を通過するストリップ法に相当し、これによって揮発性成分（例えばＦＦＡ、アルデヒド、ケトン、アルコール、炭化水素、トコフェロール、ステロール、およびフィトステロール）を蒸発させて、追い出す。ストリッピング剤は水蒸気であるのが好ましいが、その他のストリッピング剤、例えば窒素も使用できる。ストリッピング剤の量は、油の約０．５質量％〜約３質量％の量で適切に使用する。ストリッピングは、ストリッピング剤で除去する揮発性化合物を回収するための蒸留装置で行うことができる。
【００８５】
本発明による精製法のための脱臭の温度範囲は、１６０℃〜２７０℃であるのが適切である。ここで脱臭工程の温度について述べる場合、これは油の温度を指す。脱臭の圧力範囲は、０．１〜０．４ｋＰａ（１〜４ｍｂａｒ）、好ましくは０．２〜０．３ｋＰａ（２〜３ｍｂａｒ）であるのが適切である。脱臭のために適切な時間の長さは通常、３０〜１８０分、例えば６０〜１２０分、または６０〜９０分である。
【００８６】
当業者であれば、グリセリド油の外観と組成を分析することによって、例えば油のｐ−アニシジン値（ＡｎＶ）を特定することによって、脱臭の適切な長さを決めることができる。油のｐ−アニシジン値は、酸化状態の測定であり、より具体的には、油中に含有される二次的な酸化生成物（これは主にアルデヒド、例えば２−アルケナールおよび２，４−ジエナールである）の水準に関する情報をもたらす。よってｐ−アニシジン値（ＡｎＶ）はまた、脱臭工程によって除去すべき酸化生成物の水準の指標をもたらす。充分な脱臭は例えば、AOCS Official Method Cd 18-90によって特定して、例えばＡｎＶが１０未満、好ましくは５未満である場合に達成することができる。
【００８７】
さらに、または代替的に、油のアルデヒド成分およびケトン成分の量（これらは通常、原油の臭いと関連する）は、充分な脱臭が起こったかどうかを特定するために、測定することができる。生の、または悪臭がするパーム油に典型的な揮発性臭気アルデヒドおよびケトンの成分は、アセトアルデヒド、ベンズアルデヒド、ｎ−プロパナール、ｎ−ブタナール、ｎ−ペンタナール、ｎ−ヘキサナール、ｎ−オクタナール、ｎ−ノナナール、２−ブテナール、３−メチルブタナール、２−メチルブタナール、２−ペンテナール、２−ヘキセナール、２Ｅ，４Ｅ−デカジエナール、２Ｅ，４Ｚ−デカジエナール、２−ブタノン、２−ペンタノン、４−メチル−２−ペンタノン、２−ヘプタノン、２−ノナノンを含む。これらの成分はそれぞれ好ましくは、油１ｋｇあたり３ｍｇ未満、より好ましくは油１ｋｇあたり１ｍｇ未満、最も好ましくは油１ｋｇあたり０．５ｍｇ未満の量で、脱臭された油中に個々に存在する。
【００８８】
アルデヒドおよびケトンの量は、クロマトグラフ法、例えばＧＣ−ＴＯＦＭＳまたはＧＣｘＧＣ−ＴＯＦＭＳによって容易に特定できる。代替的には、アルデヒドおよびケトンの誘導は、クロマトグラフ分析を改善するために使用することができる。例えば、アルデヒドおよびケトンは、酸性条件下で２，４−ジニトロフェニルヒドラジン（ＤＮＰＨ）によって誘導できることが知られている。この試薬は、カルボン酸またはエステルとは反応しないため、この分析は、グリセリド油試料中にあるこのような成分の存在に影響されない。誘導体化に続きＨＰＬＣ−ＵＶ分析によって、試料中に存在するアルデヒドおよびケトンの合計量を定量化することができる。
【００８９】
慣用の脱臭温度は通常、２２０℃超、例えば２４０℃〜２７０℃であり、脱臭は通常、６０〜９０分にわたって行われる。脱臭のために、本発明の方法に許容されるよりも低い慣用の温度、例えば１６０℃〜２００℃を使用する場合、脱臭のための時間の長さは、充分な脱臭を保証するために延長することができ、それでも高温、例えば２４０℃〜２７０℃で短時間行われる慣用の脱臭よりもエネルギー消費が低い。
【００９０】
好ましい実施形態において、慣用の脱臭時間の長さと同じ、またはそれよりも短い時間を、慣用の脱臭温度よりも低い温度と組み合わせて使用する場合、それでも、先行する第四級アンモニウム塩処理の結果として、同程度の脱臭が達成される。別の好ましい実施形態では、本発明の精製法に含まれる脱臭工程のために慣用の温度、例えば２４０℃〜２７０℃を使用する場合、脱臭のための時間の長さは、慣用的に使用される長さに比べて短くすることができ、それでも、先行する第四級アンモニウム塩処理の結果として、同等の脱臭水準が達成される。
【００９１】
よって第四級アンモニウム塩処理にはまた、後続の脱臭工程の間にエネルギー消費を削減できるという利点もある。さらに、脱臭工程の間に熱にさらす温度または時間の長さのいずれかを減らすことによって、油の不所望の官能特性、または不所望の、有害であり得る副生成物の形成につながり得る副反応も、有利なことに減らすことができる。
【００９２】
本発明の方法に従った少なくとも１つのさらなる精製法が脱臭を含む場合、脱臭の温度は、好ましくは１６０℃〜２７０℃、より好ましくは１６０℃〜２４０℃である。さらなる好ましい実施形態において脱臭の温度は、１６０℃〜２００℃、より好ましくは１７０℃〜１９０℃である。これらの温度で脱臭を行う時間の長さは好ましくは、３０〜１５０分、より好ましくは４５〜１２０分、最も好ましくは６０〜９０分である。
【００９３】
本発明の方法に従った第四級アンモニウム塩処理は適切には、油抽出に続く事前の精製工程を経ていない生のグリセリド油に適用することができる。代替的には、本発明による方法は、第四級アンモニウム塩による処理より前に、少なくとも１つのさらなる精製工程を経たグリセリド油に適用することができる。少なくとも１つのさらなる精製工程は好ましくは、漂白および／または脱ガムから選択される。
【００９４】
有利には、本発明の方法の一部をなす第四級アンモニウム塩処理はまた、少なくとも部分的に油を脱ガムし、色素を除去することが可能であると判明しており、これは脱ガムおよび漂白の工程のスケールの程度を、例えば処理時間または原料の観点で下げることができることを意味する。前述のように、本発明の方法の一部をなす第四級アンモニウム塩処理は、化学的な精製法で使用される別個のＦＦＡ中和工程を不要にする。その一方、本発明の方法の一部をなす第四級アンモニウム塩処理は、脱臭工程におけるエネルギー消費を減少させることができる。
【００９５】
本発明に従って使用される塩基性第四級アンモニウム塩処理は、汚染物質を除去するためのイオン交換樹脂および限外濾過膜などの使用を不要にすることが意図されており、これはグリセリド油精製と関連する材料コストに大いに貢献し得る。よって好ましい実施形態では、ここに記載した精製法は、イオン交換樹脂または限外濾過膜によるグリセリド油の処理を含まない。
【００９６】
幾つかの実施形態において、接触工程（ｉ）で使用される第四級アンモニウム塩は、（これらの塩が異なる場合）工程（ｉｉ）で分離される第四級アンモニウムカチオンを含有する塩から再生法によって再生して、必要に応じて、第四級アンモニウム塩を本発明による精製法に再利用することができる。再生法は例えば、アニオン交換工程またはカチオン交換工程を含み、先に記載した所望の塩基性アニオンを含有する第四級アンモニウム塩を得ることができる。
【００９７】
１つの実施形態では、コリン重炭酸塩をコリン脂肪酸塩から再生するための再生法は、以下の工程：
（ａ）コリン脂肪酸塩を、炭酸と接触させる工程、および
（ｂ）コリン重炭酸塩を、工程（ａ）で形成されたＦＦＡから分離する工程
を含む。
【００９８】
工程（ａ）は好ましくは、コリン脂肪酸塩を含有する水溶液を、ＣＯ2と接触させることによって（例えばＣＯ2をバブリングして、水溶液に通すことによって）行う。
【００９９】
本発明はまた、金属含有グリセリド油の金属含分を低下させるための、グリセリド油を、前述の塩基性第四級アンモニウム塩と接触させる使用に関する。
【０１００】
塩基性第四級アンモニウム塩は、先に記載した塩基性第四級アンモニウム塩を含有する液体の形態で使用することができる。
【０１０１】
塩基性第四級アンモニウム塩は好ましくは、金属含有グリセリド油を処理するために使用し、それからグリセリド油を、その精製の一部としての加熱工程に供する。加熱工程は例えば、油を例えば１５０℃、２００℃、またはさらには２５０℃を超える温度に加熱することに相当し得る。よって加熱工程は、脱臭工程の一部をなすことができる。前述のように鉄の存在は、油を熱にさらす間、例えば脱臭工程において充分な量の鉄が存在すると、油の官能特性に否定的な影響を与えることがある。よって、鉄およびその他の酸化金属について大部分の量を、加熱工程より前の塩基性第四級アンモニウム塩による処理によって除去することが有利である。
【０１０２】
塩基性第四級アンモニウム塩のアニオンおよびカチオンの性質、またグリセリド油の性質に関連する本発明の別の態様の好ましい実施形態は、本発明の態様に等しく当てはまる。例えば、グリセリド油がパーム油であり、塩基性第四級アンモニウム塩が、コリン重炭酸塩であるのが最も好ましい。
【０１０３】
先に記載した本発明の実施形態は、本発明のさらなる実施形態を形成するための他のあらゆる同等の実施形態と組み合わせることができる。
【０１０４】
これから本発明を、以下の実施例によって説明する。
【０１０５】
実施例
パーム油の酸価（ｍｇ  ＫＯＨ／油１ｇ）、およびＦＦＡ含分（質量％）の一般的な特定法。
【０１０６】
イソプロパノールを６０ｍｌ含有するビーカーに、フェノールフタレイン０．５ｍｌを加えた。この混合物を沸騰するまで加熱し、イソプロパノール中で０．０２Ｍの水酸化カリウムを、弱いピンク色が約１０秒間保たれるまで添加した。
【０１０７】
ガラスのバイアルに、パーム油の試料を０．２００ｇ添加し、これを前述の熱いイソプロパノール溶液５０ｍｌに引き続き溶解させた。生じた溶液について、２５ｍｌのビュレットを用いて０．０２Ｍの水酸化カリウム溶液とともに、０．１ｍｌ段階ごとに撹拌しながら、フェノールフタレイン指示薬の終点、すなわちピンク色が少なくとも３０秒間保たれるまで、滴定した。
【０１０８】
酸価（ｍｇ  ＫＯＨ／油１ｇ）は引き続き、以下の式を用いて算出した：
５６．１×Ｎ×Ｖ／ｍ
上記式中、
５６．１は、水酸化カリウムの分子量（ｇ／ｍｏｌ）であり、
Ｖは、使用する水酸化カリウム溶液の体積（ｍｌ）であり、
Ｎは、水酸化カリウム溶液の規定度（ｍｏｌ／ｌ）であり、
ｍは、パーム油試料の質量（ｇ）である。
【０１０９】
酸価を特定したら、ＦＦＡ含分を導くことができる。本開示の目的のためのＦＦＡ含分は、ＦＦＡがパルミチン酸（分子量２５６ｇ／ｍｏｌ）とオレイン酸（分子量２８２ｇ／ｍｏｌ）との等量混合物であり、かつ平均分子量が２６９ｇ／ｍｏｌであると仮定して、質量パーセンテージとして規定される。ＦＦＡ含分が１質量％の油は、油１ｇあたりオレイン酸／パルミチン酸を０．０１ｇ含有し、オレイン酸／パルミチン酸の量は、３．１７１×１０-5ｍｏｌに相当する。この量のオレイン酸／パルミチン酸を中和するのに必要となるＫＯＨの量（すなわち酸価−ＡＶ）は、２．０８６ｍｇ／油１ｇと計算される（３．１７１×１０-5×５６．１）。よってＦＦＡ含分（質量％）の計算は、以下のような式となる：
質量％ＦＦＡ＝酸価×０．４７９
【０１１０】
パーム油を物理的に精製する一般的な方法
工業的に標準的な条件を用いて、脱ガム、漂白、脱臭を伴う物理的な精製法のための一般的な手法を、以下の表１に規定する。
【表１】
0006671396.tif 000002
【０１１１】
ここで、油精製処理の一部としての表１に記載の精製段階の使用について言及する場合、実験は実験室スケールの設備（例えば、撹拌装置、温度測定器および真空接続部を備える３つ首フラスコ）を用いて行った。表１に従った脱臭に関して、また以下の実施例で報告する二段階の脱臭に関しても、この工程は、水蒸気ストリッピングのために水を添加するためのＤＥＳＯ−ピストン、真空発生器、コンデンサ、温度計および加熱ジャケットを備える装置で行った。
【０１１２】
生の油、および処理された油の金属含分の一般的な特定法
油の金属含分は、ＩＣＰ−ＡＥＳ分析により、表１に示した精製段階に供していない油について、またＡＡＳ分析（ASU L 00.00-19/1）により、標準的な方法のDIN EN ISO 11885に従って、１つ以上の精製段階にかけた油について、特定した。
【０１１３】
例１：第四級アンモニウム塩処理による、生のパーム油の金属除去
測定されたＦＦＡ含分が７．４８質量％である生のパーム油（ＣＰＯ）の試料１ｋｇを、サーモスタット制御式水浴中で５０℃に加熱した。それから、均質化したＣＰＯを、２ｌの撹拌式タンク反応器（その内部で反応器の温度は、循環加熱油によって５０℃に維持された）に加えた。それから、ＣＰＯのＦＦＡ含分に対するコリン重炭酸塩（Sigma-Aldrich UKによる、Ｈ2Ｏ中で８０質量％のもの）の化学量論量を、１分あたり１〜２ｍｌの速度で反応容器に導入した。この混合物を、機械的なオーバーヘッドスターラを用いて５００ｍｉｎ-1で１時間、撹拌した。その後、この混合物を４０００ｍｉｎ-1で３分間、遠心分離して、第四級アンモニウムＦＦＡ塩を含有する相と、処理されたＣＰＯ相とを分離した。分離された油相を分析したところ、ＦＦＡを０．１８質量％含有し、水を０．１１質量％含有することが判明した。ＣＰＯの金属濃度、および処理された油相の金属濃度を特定した。その結果は、以下の表２に記載されている。
【表２】
0006671396.tif 000003
【０１１４】
例２：第四級アンモニウム塩処理による、生のパーム油の金属除去
ＦＦＡ含分が３．２１質量％であると測定された別の生のパーム油（ＣＰＯ）を用いて、例１を繰り返した。分離された油相を分析したところ、ＦＦＡを０．１質量％含有し、水を０．０８質量％含有することが判明した。ＣＰＯの金属濃度、および処理された油相の金属濃度を特定した。その結果は、表３に記載されている。
【表３】
0006671396.tif 000004
【０１１５】
表２および３に示された例１および２についての結果は、本発明による塩基性第四級アンモニウム塩処理が、油の合計金属濃度を著しく減少可能なことを示している。油からの金属の除去はまた、後の例で説明する脱ガム効果とも矛盾がない。
【０１１６】
鉄（例えば脱臭工程で熱にさらした後に、油の色に著しい影響をもたらす酸化促進性の金属）は、試験されたＣＰＯにおいて最も優勢な金属性汚染物質の１つである（表２および３参照）。塩基性第四級アンモニウム塩による処理が、鉄の大部分を除去する一方、その他の一般的な金属性汚染物質（ニッケル、銅およびクロムを含む）は、ｐｐｍを下回る水準に低下させることができる。
【０１１７】
例３：生のパーム油の、慣用の物理的な精製
測定されたＦＦＡ含分が３．９７質量％であるＣＰＯの試料を、先の表１で規定した条件を用いて脱ガム、漂白、および脱臭を伴う慣用の物理的な精製法により精製した。質的なパラメータは、油の精製前、および精製後に特定した。その結果は以下の表４に、使用した測定手法とともに示してある。精製油の官能試験は、KIN GmbH Lebensmittel Instituteで、色、味、外観、および臭いを、BVL L 00.90-6に記載された方法（Beuth-Verlagが管理するオンラインデータベースで公開：“Official Collection of Testing Methods according to § 64 LFGB, § 35 of the Draft Tobacco Regulation and pursuant to § 28b of the Genetic Engineering Act”）に従って判断する４人の試験パネリストによっても行った。試験者は、それぞれのパラメータについて１〜５（１／２＝消費に不向き、３＝充分、４＝良好、５＝優秀）というグレードで判断し、判断の平均値および中央値を、各パラメータについての最終的な結果として示した。通常、市販に受け入れられると考えられる油の試料のためには、各パラメータについて４または５の値が必要とされる。その結果は、以下の表４に記載されている。
【０１１８】
例４：生のパーム油の第四級アンモニウム塩処理に続いて、調整した脱臭
例３で使用したのと同じＣＰＯの試料４ｋｇを、サーモスタット制御式の水浴で５０℃に加熱し、それから撹拌式タンク反応器（その内部で反応器の温度は、循環加熱油によって５０℃に維持された）に加えた。それから、ＣＰＯのＦＦＡ含分に対するコリン重炭酸塩（Sigma-Aldrich UKによる、水中で８０質量％のもの）の化学量論量を、１分あたり１〜２ｍｌの速度で反応容器に導入した。この混合物を、機械的なオーバーヘッドスターラを用いて５００ｍｉｎ-1で１時間、撹拌した。その後、この混合物を４０００ｍｉｎ-1で３分間、遠心分離して、第四級アンモニウムＦＦＡ塩を含有する相と、処理されたパーム油相とを分離した。分離された油相を滴定したところ、ＦＦＡ含分は０．０５質量％であることが判明した。
【０１１９】
それから、処理されたパーム油を二段階の脱臭に供した。第一段階は２４０℃の温度で１０分間、第二段階は１８０℃の温度で１２０分間（慣用の脱臭温度よりも低い）であり、両方の段階は、０．２〜０．３ｋＰａ（２〜３ｍｂａｒ）で行った。脱ガム工程または漂白工程は、行わなかった。処理されたパーム油について質的なパラメータは、脱臭前および脱臭後に特定した。その結果は以下の表４に、使用した測定手法とともに示してある。第四級アンモニウム塩処理し、脱臭した油の官能試験もKIN GmbH Lebensmittel Instituteで、例３について記載したように行った。その結果は、以下の表５に記載されている。
【０１２０】
例５：生のパーム油の第四級アンモニウム塩処理に続いて、調整した脱臭
例４の二段階の脱臭を繰り返したのだが、第二の脱臭段階を１８０℃の温度ではなく、２００℃で行った。
【０１２１】
例６：生のパーム油の第四級アンモニウム塩処理に続いて、調整した物理的精製
例４からの、第四級アンモニウム塩処理されたパーム油の試料を、先に表１に記載したように脱ガム工程および漂白工程にかけ、それから例４の二段階の脱臭を行った。
【表４】
0006671396.tif 000005
【表５】
0006671396.tif 000006
【０１２２】
表４における結果は、本発明の第四級アンモニウム塩処理の利点を説明している。
【０１２３】
例４の結果（第四級アンモニウム塩処理された油）をＣＰＯと比較すると、第四級アンモニウム塩処理がＦＦＡを大量に取り除き、その一方で、油のモノグリセリド含分およびジグリセリド含分には、最小限の影響しかもたらさないことを表している。例４、５および６についての結果はまた、第四級アンモニウム塩処理に脱臭工程が続く場合に、油中で実質的に全てのＦＦＡが除去されることを表している。
【０１２４】
例６では、第四級アンモニウム塩処理に、慣用の脱ガム、漂白、および脱臭工程が続く。それと比較して例３の慣用の方法は、第四級アンモニウム塩処理が無いという点で異なる。意外なことに、第四級アンモニウム塩処理後に例４の油について観察されるリンの水準は、生のパーム油に比べて著しく低い（８．１ｍｇ／ｋｇに対して２．１ｍｇ／ｋｇ）。このことは第四級アンモニウム塩処理が、油の脱ガムに貢献することを表している。例４および５では、第四級アンモニウム塩処理に、脱臭のみが続くが、脱ガム工程または漂白工程は一切介在しない。第四級アンモニウム塩処理単独では、例３、４および５の油のリンの値を比較した場合、慣用の脱ガム工程と同程度に効果的ではないものの（それぞれ順に＜０．５ｍｇ／ｋｇ、１．３ｍｇ／ｋｇおよび１．６ｍｇ／ｋｇ）、第四級アンモニウム塩処理単独では、それにも関わらず脱ガムの充分な水準をもたらすことができる。精製されたパーム油の場合における脱ガムの所望の水準は、５ｐｐｍ以下のリンの値の低下に相当する。よって１．３ｍｇ／ｋｇおよび１．６ｍｇ／ｋｇという値は、この質的なパラメータ内にうまく収まっている。このことは第四級アンモニウム塩処理が、脱ガム工程に取って代わることができることを表している。脱ガムはまた、金属除去と関連付けることもでき、これらの結果はまた、塩基性第四級アンモニウム塩処理の金属除去効果を支持している。
【０１２５】
表５における結果は、第四級アンモニウム塩処理が、物理的な精製法（脱ガムおよび漂白を含む）に組み込まれている場合、低温脱臭段階（例５）であっても、充分〜優秀という結果が得られることを示している。二段階の脱臭の第一の高温段階は、油の脱色を大部分、行うことを目的としている。しかしながら意外なことに、第四級アンモニウム塩処理、脱ガムおよび漂白の後、二段階の脱臭の第二段階の温度をさらに１８０℃に下げた場合（例６）に、優れた官能試験の結果が得られた。よって本発明の第四級アンモニウム塩処理は、脱臭温度を低下させる可能性をもたらして、グリセリド油精製法のエネルギー消費を低下させる一方で、金属性汚染物質を除去し、さらに、適切な嗅覚的品質を有する生成物をもたらす。
【０１２６】
また第四級アンモニウム塩処理が、脱ガム工程および漂白工程に効果的に置き換えられる場合、油の官能的品質は、慣用の延長された高温脱臭工程が組み込まれていないと、表５における例４および５についての結果が提示するように、充分ではないことがある。